(57)【要約】【課題】ユーザビリティを損ねることなく、後端規制部材及び引き出し部材の位置決めを確実に行うことのできるシート給送装置及び画像形成装置を提供する。【解決手段】給紙トレイ２０にシート給送方向と平行な方向に沿って引き出し可能に設けられた延長部材３０により、給紙トレイ２０に収納されたシートのシート給送方向上流側の後端を規制する後端規制部材４０をシート給送方向と平行な方向に沿ってスライド可能に支持する。そして、給紙トレイ２０に、延長部材３０を収納位置又は引き出し位置に保持する延長部材係止部２３を設ける。また、給紙トレイ２０に、後端規制部材４０を、シートの後端を規制する規制位置に保持する後端規制部材係止部２１を設ける。【選択図】図２
2011051684.tif 000002
【特許請求の範囲】
【請求項１】
シート収納部に収納されたシートを給送するシート給送装置において、
前記シート収納部は、
シート収納部本体と、
前記シート収納部本体に収納されたシートのシート給送方向上流側の後端を規制する後端規制部材と、
前記シート収納部本体にシート給送方向と平行な方向に沿って引き出し可能に設けられ、前記後端規制部材をシート給送方向と平行な方向に沿ってスライド可能に支持する引き出し部材と、
前記シート収納部本体に設けられ、前記引き出し部材を収納位置又は引き出し位置に保持する第１保持部と、
前記シート収納部本体に設けられ、前記後端規制部材をシートの後端を規制する規制位置に保持する第２保持部と、を備えることを特徴とするシート給送装置。
【請求項２】
前記引き出し部材に設けられ、前記後端規制部材をシートの後端を規制する規制位置に保持する第３保持部を備え、
前記後端規制部材を、前記引き出し部材が前記第１保持部により収納位置に保持されているときには前記第２保持部により前記規制位置に保持し、前記引き出し部材が前記第１保持部により前記引き出し位置に保持されているときには前記第３保持部により前記規制位置に保持することを特徴とする請求項１記載のシート給送装置。
【請求項３】
前記第３保持部は、前記シート収納部にシート給送方向長さが所定長さを超える長さのシートを収納する際、シート給送方向と逆方向にスライド操作される前記後端規制部材と当接し、前記後端規制部材と一体的に前記引き出し部材を引き出す当接部であることを特徴とする請求項２記載のシート給送装置。
【請求項４】
前記後端規制部材は、前記シート収納部にシート給送方向長さが所定の長さのシートを収納する際、前記当接部に当接して前記規制位置に保持されることを特徴とする請求項３記載のシート給送装置。
【請求項５】
前記引き出し部材の、前記シート収納部本体のシート積載面に対して垂直方向の移動を前記シート収納部本体により規制し、前記後端規制部材の前記シート収納部本体のシート積載面に対して垂直方向の移動を前記引き出し部材により規制することを特徴とする請求項１乃至４のいずれか１項に記載のシート給送装置。
【請求項６】
前記第１保持部及び前記第２保持部を同一のものとしたことを特徴とする請求項１乃至５のいずれか１項に記載のシート給送装置。
【請求項７】
画像形成部と、前記画像形成部にシートを給送する請求項１乃至６のいずれか１項に記載のシート給送装置とを備えたことを特徴とする画像形成装置。
【発明の詳細な説明】
【技術分野】
【０００１】
本発明は、シート給送装置及び画像形成装置に関し、特にシートを収納するシート収納部に引き出し部材を設けたものに関する。
【背景技術】
【０００２】
従来の複写機、プリンタ、ファクシミリ等の画像形成装置においては、シート給送装置を備え、このシート給送装置から画像形成部にシートを給送して画像を形成するようにしたものが広く普及している。このようなシート給送装置としては、画像形成装置本体に設けられたシート収納部に収納支持されたシートをシート給送ローラにより、画像形成部に自動給送するようにしているのが一般的である。
【０００３】
ここで、シート収納部においては、収納されるシートのシート給送方向後端（以下、後端という）の位置を規制する後端規制部材と、シートのシート給送方向と直交する方向（以下、幅方向という）の側端位置を規制する側端規制部材が設けられている。そして、このようなシート収納部においては、側端規制部材によってシートの側端を規制する一方、後端規制部材によってシートの後端を規制することにより、シートの先端位置を常に所定の位置に規制するようにしている。これにより、シート収納部にシートを収納した際、シートのサイズに拘らず、安定したシートの給送を行うことができる。
【０００４】
ところで、近年、スペース効率を向上させるため画像形成装置の小型化が図られているが、このように画像形成装置を小型化した場合、使用されるシートより画像形成装置本体の方が小さくなる場合がある。そこで、このような場合には、シート収納部に後端規制部材と一体に引き出し可能に引き出し部を設け、シートのサイズに応じて引き出し部材を引き出して使用するようにしたものがある(特許文献１参照)。そして、このように構成した場合、大サイズのシートを収納する場合にのみ、引き出し部材を引き出して使用するようになるため、すなわち大サイズシートを使用する場合だけ引き出し部材が引き出された状態となるため設置スペースの問題が解決される。
【先行技術文献】
【特許文献】
【０００５】
【特許文献１】特開平９−１１０１９１号公報
【発明の概要】
【発明が解決しようとする課題】
【０００６】
ところで、このような従来のシート収納部を備えた従来のシート給送装置及び画像形成装置において、シート収納部の引き出し部材は、係止機構により引き出し位置、又は収納位置で固定されている。また、後端規制部材も位置決め機構により引き出し部材に対して位置決めされる。ところで、シートの先端を支持する中板を上方に移動させてシート先端をシート給送ローラに押し付けてシートを給送する方式のシート給送装置では、中板が上昇したときにシートがシート給送方向と反対方向に戻される。これをキックバックと言い、中板が急激に上昇したときなどには、このキックバックによりシートから後端規制部材に大きな衝撃力が加わる場合がある。また、このように後端規制部材に衝撃力が加わると、引き出し部材にも後端規制部材から衝撃力が加わる。
【０００７】
ここで、引き出し部材に設けられた後端規制部材の位置決め機構の後端規制部材保持力の大きさは、衝撃力が加わった場合でも、後端規制部材が引き出し部材に対して移動しないような大きさが必要である。また、シート収納部に設けられた保持機構の引き出し部材保持力の大きさは、後端規制部材から衝撃力が加わった場合でも、引き出し部材が移動しないように、位置決め機構の後端規制部材保持力よりも大きな力が必要である。
【０００８】
どちらか一方の保持力がこの条件を満たさない場合は、キックバックにより後端規制部材もしくは引き出し部材がシート給送方向と逆方向に移動してしまう。この移動に伴いシートが後方に移動すると、シートがシート給送ローラの位置からずれてしまってシートの給送を行うことができない場合がある。しかし、これを防止するために後端規制部材保持力及び引き出し部材保持力を大きく設定した場合、ユーザーが後端規制部材及び引き出し部材を操作する際、それぞれの操作力が大きいため、ユーザビリティを損ねてしまうおそれがあった。
【０００９】
そこで、本発明は、このような現状に鑑みてなされたものであり、ユーザビリティを損ねることなく、後端規制部材及び引き出し部材の位置決めを確実に行うことのできるシート給送装置及び画像形成装置を提供することを目的とするものである。
【課題を解決するための手段】
【００１０】
本発明は、シート収納部に収納されたシートを給送するシート給送装置において、前記シート収納部は、シート収納部本体と、前記シート収納部本体に収納されたシートのシート給送方向上流側の後端を規制する後端規制部材と、前記シート収納部本体にシート給送方向と平行な方向に沿って引き出し可能に設けられ、前記後端規制部材をシート給送方向と平行な方向に沿ってスライド可能に支持する引き出し部材と、前記シート収納部本体に設けられ、前記引き出し部材を収納位置又は引き出し位置に保持する第１保持部と、前記シート収納部本体に設けられ、前記後端規制部材をシートの後端を規制する規制位置に保持する第２保持部と、を備えることを特徴とするものである。
【発明の効果】
【００１１】
本発明のように、引き出し部材及び後端規制部材を、シート収納部本体に設けられた第１保持部及び第２保持部によってそれぞれ保持することにより、ユーザビリティを損ねることなく、後端規制部材及び引き出し部材の位置決めを確実に行うことができる。
【図面の簡単な説明】
【００１２】
【図１】本発明の第１の実施の形態に係るシート給送装置を備えた画像形成装置の概略構成を示す図。
【図２】上記シート給送装置に設けられたシート収納部を構成する給紙トレイの構成を説明する第１の図。
【図３】上記給紙トレイの構成を説明する第２の図。
【図４】上記給紙トレイに設けられた延長部材及び後端規制部材の構成を説明する図。
【図５】上記シート収納部に対するシート収納動作を説明する第１の図。
【図６】上記シート収納部に対するシート収納動作を説明する第２の図。
【図７】上記シート収納部に対するシート収納動作を説明する第３の図。
【図８】上記シート収納部に対するシート収納動作を説明する第４の図。
【図９】上記シート収納部に対するシート収納動作を説明する第５の図。
【図１０】本発明の第２の実施の形態に係るシート給送装置に設けられた給紙トレイの構成を説明する図。
【発明を実施するための形態】
【００１３】
以下、本発明を実施するための実施の形態を、図面を用いて詳細に説明する。図１は、本発明の第１の実施の形態に係るシート給送装置を備えた画像形成装置の概略構成を示す図である。この画像形成装置１０は、画像形成装置本体１０Ａと、画像形成部１０Ｂと、画像形成部１０Ｂに記録紙等のシートＳを給送するシート給送装置１０Ｃ等を備えている。画像形成部１０Ｂは、感光体ドラム（像担持体）６と、感光体ドラム６の表面を露光して感光体ドラム上に静電潜像を形成するレーザスキャナユニット１１等を備えている。
【００１４】
シート給送装置１０Ｃは、画像形成装置本体１０Ａに対して軸２０ａを支点として開閉可能な給紙トレイ２０及び上下方向に回動可能な中板３ａとにより構成されるシート収納部３を備えている。また、シート給送装置１０Ｃは、シート収納部３に収納されたシートＳを、最上位のシートＳ１から１枚ずつ給送するシート給送部材であるシート給送ローラ４を備えている。なお、５は分離パッドであり、この分離パッド５は、バネ５ａによりシート給送ローラ４に圧接している。７は感光体ドラム６と共に、転写部を構成する転写ローラ、８は定着ローラ対である。
【００１５】
次に、このように構成された画像形成装置１０の画像形成動作を説明する。不図示のパソコン等から画像情報が送られ、この画像情報を画像形成処理した不図示の制御部（コントローラ）がプリント信号を発すると、レーザスキャナユニット１１からの画像露光光により感光体ドラム６に潜像が形成される。この後、感光体ドラム上の潜像が、不図示の現像器によりトナーによって現像され、感光体ドラム上にトナー像が形成される。
【００１６】
一方、不図示の制御部がプリント信号を発すると、中板３ａが上方回動すると共に、シート給送ローラ４が回転し、シート収納部３に収納された最上位のシートＳ１が給送される。なお、この際、シート給送ローラ４によりシートＳが複数枚給紙されても、シート給送ローラ４に圧接する分離パッド５によりシートＳは捌かれ、最上位のシートＳ１が感光体ドラム６と転写ローラ７とにより構成される転写部に搬送される。そして、この転写部において、感光体ドラム上に形成されたトナー像がシートＳ１に転写され、この後、定着ローラ対８にて熱、圧力が加えられることにより、トナー像がシートＳ１に定着される。この後、画像が定着されたシートＳ１は、排紙ローラ対９により画像形成装置本体上面に設けられた積載トレイ１２へと排出される。
【００１７】
ところで、給紙トレイ２０は、中板３ａと共にシート収納部３のシート収納部本体を構成するものである。この給紙トレイ２０は、図２に示すように、給紙トレイ２０に対してシート給送方向と平行な方向に沿って引き出し可能な引き出し部材である延長部材３０を備えている。また、延長部材３０は、給紙トレイ２０上に載置されたシートＳのシート給送方向上流側側端である後端に当接面４４を当接させることにより、シートＳの後端の位置決めを行う後端規制部材４０をシート給送方向と平行な方向に沿ってスライド可能に支持している。なお、図２において、１３は、シートＳのシート給送方向と直交する幅方向の位置を規制するサイド規制部材である。
【００１８】
この給紙トレイ２０は、後端規制部材４０に作用する構成として、図２及び図３に示すように複数の係止孔２１ａからなる第２保持部である後端規制部材係止部２１を有している。また、延長部材３０に作用する構成として、図２に示すように複数の係止孔２３ａからなる第１保持部である延長部材係止部２３を有している。更に、延長部材３０に作用する構成としてシート給送方向に延びた延長部材ガイド溝２２を有している。
【００１９】
延長部材３０は、図４に示すように、給紙トレイ２０に作用する構成として、延長部材係合手段３１を有している。そして、この延長部材係合手段３１を給紙トレイ２０の延長部材係止部２３の所定の係止孔２３ａに弾性的に係合することで、延長部材３０が給紙トレイ２０に対して位置決め保持される。また、延長部材３０は、給紙トレイ２０に作用する構成としてシート給送方向に延びた延長部材レール３３を有している。そして、延長部材レール３３を、給紙トレイ２０の延長部材ガイド溝２２によって挟み込むことで延長部材３０のシート積載面に対して垂直方向の移動を規制することにより、延長部材３０の上下方向位置を規制し、かつ延長部材３０の移動がガイドされる。
【００２０】
また、延長部材３０は、後端規制部材４０に作用する構成として後端規制部材ガイド溝３２を有している。更に、延長部材３０は、後端規制部材４０に作用する構成として、シート給送方向長さが所定長さのシート、例えばＬＴＲ紙を収納する際、後端規制部材４０がシート給送方向と逆方向に操作されると、後端規制部材４０と当接するロック部３４を有している。
【００２１】
ここで、このような当接部であるロック部３４を有することにより、ＬＴＲ紙のシート給送方向長さを越える長さのシートを収納する場合、後端規制部材４０がシート給送方向と逆方向にスライド操作されると、まず後端規制部材４０がロック部３４に当接する。そして、この後、後端規制部材４０と一体的に延長部材３０が、給紙トレイ２０から引き出される。
【００２２】
なお、ＬＴＲ紙をシート収納部３に収納する場合、後端規制部材４０がシート給送方向と逆方向にスライド操作されると、ロック部３４に後端規制部材４０が当接し、このようにロック部３４に当接することにより、後端規制部材４０の移動が規制される。つまり、本実施の形態において、ＬＴＲ紙及びＬＴＲ紙よりもシート給送方向長さが長いシートを収納する場合、延長部材３０は、ロック部３４により後端規制部材４０の位置をロックする。一方、延長部材３０は、ＬＴＲ紙よりもシート給送方向長さが短いシートを収納する場合は、後端規制部材４０のシート給送方向の移動に対して何ら影響を与えない構成となっている。この結果、ＬＴＲ紙よりもシート給送方向長さが短いシートを収納する際には、後端規制部材４０は延長部材３０に対して独立して移動することができる。
【００２３】
また、後端規制部材４０は、給紙トレイ２０に作用する構成として後端規制部材係合手段４１を有している。そして、この後端規制部材係合手段４１を給紙トレイ２０の後端規制部材係止部２１の係止孔２１ａに弾性的に係合することにより、給紙トレイ２０に対して位置決めされる。また、延長部材３０に作用する構成として、後端規制部材レール４３を有している。そして、この後端規制部材レール４３を延長部材３０の後端規制部材ガイド溝３２によって挟み込むことにより、後端規制部材４０の上下方向位置が規制され、かつ後端規制部材４０のスライド移動がガイドされる。更に、延長部材３０に作用する構成として、後端規制部材ストッパ手段４２を有している。そして、後端規制部材４０をＬＴＲ紙後端に当接する位置よりシート給送方向上流側に移動しようとした際、この後端規制部材ストッパ手段４２が第３保持部を構成する延長部材３０のロック部３４に係合し、後端規制部材４０の動きがロックされる。なお、既述したとおり、本実施の形態においては、後端規制部材４０は、ロック部３４以外では延長部材３０よりシート給送方向の移動に関する影響を何ら受けない。
【００２４】
そして、このように給紙トレイ２０、延長部材３０及び後端規制部材４０を構成することにより、延長部材３０の上下位置は給紙トレイ２０により規制され、後端規制部材４０の上下位置は延長部材３０により規制される。また、延長部材３０のシート給送方向の位置は給紙トレイ２０が直接位置決めする。さらに、後端規制部材４０の給紙トレイ２０に対するシート給送方向の位置は、後端規制部材４０がＬＴＲ後端に当接する位置より下流側の範囲では、給紙トレイ２０が直接位置決めする。
【００２５】
また、ＬＴＲ後端よりも上流側の範囲では、後端規制部材４０の給紙トレイ２０に対するシート給送方向の位置は、ロック部３４を介して延長部材３０が位置決めする。つまり、後端規制部材４０は、収納するシートのシート給送方向の長さに応じて後端規制部材係止部２１又はロック部３４により選択的に規制位置に保持される。なお、本実施の形態では、延長部材３０及び後端規制部材４０の幅方向の位置に関する事柄は、本発明の主旨に関係しないので、説明を割愛している。
【００２６】
次に、このように構成された給紙トレイ２０、延長部材３０及び後端規制部材４０を備えたシート収納部３に対するシート収納動作について図５〜図９を用いて説明する。なお、図５〜図８において、（ａ）は延長部材３０と後端規制部材４０の関係を主に示す図、（ｂ）は給紙トレイ２０と後端規制部材４０の関係を主に示す図、（ｃ）給紙トレイ２０と延長部材３０の関係を主に示す図である。また、図５〜図８において、ＴはＬＴＲ紙の後端位置を示している。
【００２７】
図５は、図９の（ａ）に示す、延長部材３０及び後端規制部材４０が給紙トレイ２０に対して最も下流側に位置する状態にあるとき、すなわち延長部材３０が収納状態にあるときの給紙トレイ２０の状態を示した図である。この収納状態にあるとき、図５の（ａ）に示すように後端規制部材４０は、シート給送方向に対して、延長部材３０から影響を受けることはない。これにより、後端規制部材４０を、シートサイズに応じて自由にスライド移動させることができる。また、図５の（ｂ）に示すように、後端規制部材４０は、後端規制部材係合手段４１が給紙トレイ２０の後端規制部材係止部２１の所定の係止孔２１ａに係止されることにより、シート給送方向の位置決めがなされる。また、図５の（ｃ）に示すように、延長部材３０も、延長部材係合手段３１が、給紙トレイ２０の延長部材係止部２３の所定の係止孔２３ａに係止されることにより、シート給送方向の位置決めがなされる。
【００２８】
図６は、図９の（ｂ）に示す、ＬＴＲ紙よりシート給送方向に短いシートを給紙トレイ２０上に収納するときに、後端規制部材４０を、図５の収納状態からシート給送方向上流側に移動させた状態を示した図である。この状態のとき、後端規制部材４０は延長部材３０からシート給送方向に関する影響を受けることはないので、図６の（ａ）に示すように、延長部材３０から影響を受けることなく、後端規制部材４０を収納シートの後端規制位置に移動することができる。また、この際、後端規制部材４０は、図６の（ｂ）に示すように、後端規制部材係合手段４１が給紙トレイ２０の後端規制部材係止部２１の係止孔２１ａと係合を繰り返しながら移動する。そして、最終的には後端規制部材係合手段４１が最適な位置の係止孔２１ａに弾性的に係止されることによって、後端規制部材４０のシート給送方向の位置決めがなされる。また、延長部材３０は、後端規制部材４０がシート給送方向上流側に移動しても、後端規制部材４０からシート給送方向と逆方向の力を受けていないので、図６の（ｃ）に示すように収納位置である既述した図５の（ｃ）に示した位置と同じ位置のままになる。
【００２９】
図７は、図９の（ｃ）に示す、ＬＴＲ紙を給紙トレイ２０上に載置するときに、後端規制部材４０を、図６の状態から更にシート給送方向上流側に移動させた状態を示した図である。そして、このように後端規制部材４０を移動させ、後端規制部材４０がＬＴＲ紙の後端を規制する後端規制位置に達すると、後端規制部材４０は、図７の（ａ）及び（ｂ）に示すように、ロック部３４に当接する。これにより、後端規制部材４０は、延長部材３０に対して更にシート給送方向上流側移動することがないようにロックされる。また、この時点では、延長部材３０は、図７の（ｃ）に示すように、まだ図５及び図６で示す収納状態と同じ位置のままになる。
【００３０】
図８は、図９の（ｄ）に示す、ＬＴＲ紙よりもシート給送方向長さが長いシートを給紙トレイ２０上に載置するときに、後端規制部材４０を、図７の状態から更にシート給送方向上流側に移動させた状態を示した図である。そして、図７の状態から図８の状態に移動する際には、後端規制部材４０は延長部材３０に対しては動きをロックされており、延長部材３０に対する位置は変わらない。よって、後端規制部材４０をさらに上流側に移動しようとすると、このときの力が延長部材３０を移動させる力に変わり、延長部材３０の収納状態を維持する延長部材係止部２３の係止孔２３ａと延長部材係合手段３１との係合が外れる。
【００３１】
これにより、図８の（ａ）及び（ｂ）に示すように、それまで延長部材３０とは別体に移動していた後端規制部材４０は、延長部材３０と一体的にシート給送方向上流側移動する。そして、このように後端規制部材４０と共に一体的に移動した後、延長部材３０は、図８の（ｃ）に示すように、延長部材係合手段３１が上流側にある延長部材係止部２３の他の係止孔２３ａに弾性的に係止されることで延長部材３０の位置決めがなされる。この結果、シート延長部材３０と後端規制部材４０が共に給紙トレイ２０より突出するので、給紙トレイ２０よりはみ出してしまうＬＴＲ紙よりシート給送方向の長さの長いシートの後端も位置決めが可能になる。
【００３２】
このように、延長部材３０を収納位置とした状態で収納できる長さのシートＳを給送する際には、図９の（ｂ）に示すように延長部材３０が給紙トレイ２０に収納された状態のまま後端規制部材４０のみが移動し、シート後端に当接可能となる。また、延長部材３０を引き出して収納する長さのシートＳを給送する際には、図９の（ｄ）に示すように延長部材３０と後端規制部材４０が連動して給紙トレイ２０から引き出すようにすることにより、後端規制部材４０をシート後端に当接させることができる。
【００３３】
以上説明したように、本実施の形態においては、給紙トレイ２０に設けた延長部材係止部２３により延長部材３０の位置決めを確実に行うことができる。また、後端規制部材４０を給紙トレイ２０に設けた後端規制部材係止部２１に保持することにより、後端規制部材４０の位置決めを確実に行うことができる。そして、このように延長部材３０を給紙トレイ２０に保持し、後端規制部材４０を給紙トレイ２０によって規制位置に保持することにより、ユーザビリティを損ねることなく、後端規制部材４０及び延長部材３０の位置決めを確実に行うことができる。
【００３４】
さらに、このように構成することにより、延長部材３０及び後端規制部材４０の位置が衝撃力に負けてズレないような保持力を満足しさえすれば、互いの力関係を考慮せずとも良いので、構成を成り立たせるための条件を緩和することができる。この結果、給紙トレイ２０の構成を簡略にすることができると共に、延長部材３０及び後端規制部材４０を移動させるときの操作力を同じ大きさに設定することができる。
【００３５】
次に、本発明の第２の実施の形態について説明する。図１０は、本発明の第２の実施の形態に係るシート給送装置に設けられたシート収納部を構成する給紙トレイの構成を説明する図。なお、図１０において、既述した図２と同一符号は、同一又は相当部分を示している。
【００３６】
図１０に示すように、給紙トレイ２００は複数の係止孔２０１ａからなる後端規制部材係止部２０１を有している。そして後端規制部材係止部２０１の係止孔２０１ａに、後端規制部材係合手段４１と係合することにより、給紙トレイ２００に対する後端規制部材４０のシート給送方向の位置決めが行われる。また、本実施の形態においては、延長部材３００は、延長部材位置決め手段３０１を後端規制部材係止部２０１に係止することにより、給紙トレイ２００に対する延長部材３００の位置決めがなされる。つまり、本実施の形態において、延長部材３００及び後端規制部材４０は、同一の係止部である後端規制部材係止部２０１により、位置決めがなされるようになっている。
【００３７】
そして、このように延長部材３００と後端規制部材４０のシート給送方向の位置決めを給紙トレイ２００の同一部（後端規制部材係止部２０１）で行うことにより、給紙トレイ２００をシンプルな形状で構成することが可能になる。この結果、型構造の簡略化及び型のメンテナンス性の向上等を図ることができ、低コスト化を図ることができる。
【００３８】
なお、これまでの説明において、給紙トレイ２０，２００は画像形成装置本体１０Ａに対して回動可能であったが、給紙トレイとして、例えば脱着式のものを用いても良い。また、これまでは延長部材３０，３００が後端規制部材４０の移動をロックする位置を後端規制部材がＬＴＲ紙後端に当接する位置に設定しているが、ロック位置は必ずしもＬＴＲ後端でなくてもよい。例えば、延長部材３０，３００が収納位置、すなわち延長部材３０，３００が画像形成装置本体から外方に突出しない位置で後端規制部材４０がロック部３４に当接することができれば、ロック位置をＡ４紙後端などの他の任意の位置に設定可能である。
【符号の説明】
【００３９】
３…シート収納部、４…シート給送ローラ、１０…画像形成装置、１０Ａ…画像形成装置本体、１０Ｂ…画像形成部、１０Ｃ…シート給送装置、２０…給紙トレイ、２１…後端規制部材係止部、２３…延長部材係止部、３０…延長部材、３１…延長部材係合手段、３４…ロック部、４０…後端規制部材、４１…後端規制部材係合手段、２００…給紙トレイ、２０１…後端規制部材係止部、３００…延長部材、Ｓ…シート
【図１】
2011051684.tif 000003
【図２】
2011051684.tif 000004
【図３】
2011051684.tif 000005
【図４】
2011051684.tif 000006
【図５】
2011051684.tif 000007
【図６】
2011051684.tif 000008
【図７】
2011051684.tif 000009
【図８】
2011051684.tif 000010
【図９】
2011051684.tif 000011
【図１０】
2011051684.tif 000012